(57)【特許請求の範囲】
【請求項１】
流体の流入出口が形成された内側部材と、前記内側部材に回転摺動自在に外嵌され、流体の流入出口が形成された外側部材とからなり、前記内側部材の流入出口に接続される配管と、前記外側部材の流入出口に接続される配管との流路接続を行うスイベルジョイントの飛散防止カバーであって、
前記飛散防止カバーは、一方に前記スイベルジョイントの内側部材及び外側部材を覆うための閉塞部を有し、他方に前記スイベルジョイントの内側部材の流入出口の突出を許容する開口部を有する筒状形状をなすともに、その外周部に、前記開口部に連なり装着時に前記スイベルジョイントの外側部材の流入出口の外方への突出を許容する貫通部が形成され、この貫通部からＬ字形状に前記開口部に向けて連設される切欠き溝を設けたことを特徴とするスイベルジョイントの飛散防止カバー。
【発明の詳細な説明】
【０００１】
【発明の属する技術分野】
本発明は、スイベルジョイントを使用する機械に係わり、特に、アキュムレータ等の高圧の流体が常時畜圧された状態の箇所に使用されるスイベルジョイントの破損による流体等の飛散を防止するためのスイベルジョイントの飛散防止カバーに関する。
【０００２】
【従来の技術】
アキュムレータ等で畜圧された高圧流体を、回転動作を伴なう部位を介し他の機器へ導くためのスイベルジョイントは、例えばアキュムレータ側に固定的に取り付けられる内側部材（固定側）と、内側部材に回転摺動可能に外嵌されて内側部材から供給される流体圧を接続される配管等に導く外側部材（回転側）とからなる。内側部材は、その軸方向に高圧流体を流通するための貫通孔が形成されており、また、外側部材と内側部材の摺動部には、流体の漏洩を防ぐためにシール材が設けられている。
【０００３】
【発明が解決しようとする課題】
前記内側部材には、その軸方向に高圧流体を流通する貫通孔が設けられているから、一部肉厚の薄い部分が形成されている。そのため、長年の使用による金属疲労等のため、特に薄肉部に亀裂が生じ、最悪の場合、破断する可能性がある。また、シール材も摺動や温度の変化等により劣化し、高圧流体が漏洩する可能性がある。
【０００４】
このような内側部材の破断、シール材の劣化に伴なう部材及び高圧流体の飛散は周囲環境にも悪影響をきたすことも考えられる。
【０００５】
本発明は、上述した問題に鑑みてなされたもので、その目的は、スイベルジョイントが破損しても、高圧流体および破損した部材を外部へ飛散することを防止できるスイベルジョイントの飛散防止カバーを提供することにある。
【０００６】
【課題を解決するための手段】
本発明は、上述した課題を解決するために、流体の流入出口が形成された内側部材と、前記内側部材に回転摺動自在に外嵌され、流体の流入出口が形成された外側部材とからなり、前記内側部材の流入出口に接続される配管と、前記外側部材の流入出口に接続される配管との流路接続を行うスイベルジョイントの飛散防止カバーであって、前記飛散防止カバーは、一方に前記スイベルジョイントの内側部材及び外側部材を覆うための閉塞部を有し、他方に前記スイベルジョイントの内側部材の流入出口の突出を許容する開口部を有する筒状形状をなすともに、その外周部に、前記開口部に連なり装着時に前記スイベルジョイントの外側部材の流入出口の外方への突出を許容する貫通部が形成され、この貫通部からＬ字形状に前記開口部に向けて連設される切欠き溝を設けたスイベルジョイントの飛散防止カバーを提供するものである。
【０００７】
これにより、スイベルジョイントの内側部材および外側部材にそれぞれ、配管を接続した状態のままで、飛散防止カバーを装着でき、漏洩した流体と、流体の漏洩による破損部材の飛散を防止することができる。
【００１０】
【発明の実施の形態】
本発明のスイベルジョイントの飛散防止カバーを図１〜図４により説明する。
図１は、本発明のスイベルジョイントの飛散防止カバーが装着されるスイベルジョイントの部分断面図、図２は、本発明によるスイベルジョイントの飛散防止カバーを装着した際の部分断面図、図３（ａ）は本発明のスイベルジョイントの飛散防止カバーの正面図、図３（ｂ）は図３（ａ）における側面図、図４は、本発明のスイベルジョイントの飛散防止カバーをスイベルジョイントに装着した状態を示す外観図である。
【００１１】
図１において、スイベルジョイント１は、固定部１０と、固定部１０の廻りを回転する回転部２０から構成され、固定部１０は、固定軸１１と、固定軸１１を他の機器等、例えばアキュムレータに締結するための締結部１２、固定軸１１の中心部に設けられ、締結部１２に締結される流体を流通するキリ孔１３と、キリ孔１３に連通し、固定部１０に流通する流体を回転部２０に流通する貫通孔１４とからなる。なお、固定軸１１と締結部１２により内側部材が形成される。
【００１２】
回転部２０は、貫通孔１４に連通する連通孔２１と、回転部２０を他の機器、例えば流体圧配管に締結する外側部材としての締結部２２と、締結部２２に設けられ、連通孔２１と連通する流体流入出口としての接続孔２３とからなる。
【００１３】
上述したように固定軸１１には貫通孔１４が設けられており、この貫通孔１４の周囲は、肉厚が薄くなっている。
【００１４】
３０は、本発明におけるスイベルジョイントの飛散防止カバーであり、一方端側が上蓋３１で閉塞され、他方端側が開放された開口部３２が設けられた筒状の円筒体３３によって形成されている。円筒体３３の側部には、装着時に回転部２０の締結部２２が外方に向けて突出する貫通部３４が設けられ、この貫通部３４からＬ字状に開口部３２に向けて連設される切欠き溝３５が設けられている。また、この貫通部３４の両側には、それを挟むように小ネジ３６、３６が設けられており、飛散防止カバー３０が、スイベルジョイント１に装着されたときに、小ネジ３６、３６間にワイヤロープ３７を掛け渡すことで、飛散防止カバー３０がスイベルジョイント１から外れないようになっている。
【００１５】
飛散防止カバー３０をスイベルジョイント１に装着するには、飛散防止カバー３０の切欠き溝３５と回転部２０の締結部２２の径方向の位置を合わせ、締結部２２が切欠き溝３５内を移動するようにスイベルジョイント１の上方から下方に向けて進入させ、締結部２２を貫通部３４に位置させ、この状態で、飛散防止カバー３０を径方向に回転させて、締結部２２を貫通部３４内に収容させる。そして、小ネジ３６、３６間にワイヤロープ３７を掛け渡す。なお取り外す手順は、前述の手順と逆となる。
【００１６】
これにより、スイベルジョイント１の固定軸１１に設けられる貫通孔１４を形成する薄肉部が長年の使用により、破損して高圧流体が漏洩しても周囲に飛散することがなく、周囲環境を汚染することがない。さらに、破損した部材も飛散することがない。さらに、回転部２０の接続孔２３に流体圧配管が取付けられた状態でも飛散防止カバー３０を簡単に装着でき、作業性が良い。また、貫通部３４と切欠き溝３５を同一直線上に配置していないので、飛散する高圧流体や破断した構造部材によってカバー３０が外れることがない。
【００１７】
【発明の効果】
本発明のスイベルジョイントの飛散防止カバーは、以上のように構成してあるので、スイベルジョイントが破損して高圧流体が漏洩しても周囲に飛散することがなく、周辺環境を汚染することがない。さらに、破損した構造部材も飛散することがない。さらに、外側部材の流入出口に流体圧配管が取付けられた状態でも簡単に装着でき、作業性が良い。また、貫通部と切欠き溝を同一直線上に配置していないので、飛散する高圧流体や破断した構造部材によってスイベルジョイントから外れることがない。
【図面の簡単な説明】
【図１】本発明のスイベルジョイントの飛散防止カバーの一実施の形態が装着されるスイベルジョイントを一部断面に示す正面図である。
【図２】本発明によるスイベルジョイントの飛散防止カバーの一実施の形態を装着した際の部分断面図である。
【図３】（ａ）は本発明のスイベルジョイントの飛散防止カバーの一実施の形態の正面図、（ｂ）はその側面図である。
【図４】本発明のスイベルジョイントの飛散防止カバーの一実施の形態をスイベルジョイントに装着した状態を示す外観図である。
【符号の説明】
１    スイベルジョイント
１０  固定部
１１  固定軸
１２  締結部
１３  キリ孔
１４  貫通孔
２０  回転部
２１  連通孔
２２  締結部
２３  接続孔
３０  飛散防止カバー
３１  上蓋
３２  開口部
３３  筒状体
３４  貫通部
３５  切欠き溝
【図１】
0003657832.tif 000002
【図２】
0003657832.tif 000003
【図３】
0003657832.tif 000004
【図４】
0003657832.tif 000005